(57)【要約】      （修正有）【課題】装置の構造が簡単で安価に製作でき、手軽に移動でき操作性が簡単で、対面する人との間で心理的、物理的に障害にならない卓上清浄空気バリア域形成装置を提供する。【解決手段】金網等で形成された円筒本体と該円筒本体上部を金網等で形成された蓋で覆い、該円筒本体下部を樹脂成形等で形成されたベースへ嵌合固着し、該ベース下部背面へ電池を収納し、側面へ電源入り切りスイッチを設け、該ベース上部に送風用ファンを取り付ける小型モータを設け、さらに該送風ファン上部に逆円錐形の頂部を開口とした吹き出しガイドを前記円筒本体内部へ設け、該円筒本体外周部へ該送風用ファン近傍と前記ベース上縁間に清浄空気遮断帯を設けたことを特徴とする。【選択図】図２
0003142747.tif 000002
【実用新案登録請求の範囲】
【請求項１】
金網等で形成された円筒本体と該円筒本体上部を金網等で形成された蓋で覆い、該円筒本体下部を樹脂成形等で形成されたベースへ嵌合固着し、該ベース下部背面へ電池を収納し、側面へ電源入り切りスイッチを設け、該ベース上部に送風用ファンを取り付ける小型モータを設け、さらに該送風ファン上部に逆円錐形の頂部を開口とした吹き出しガイドを前記円筒本体内部へ設け、該円筒本体外周部へ該送風用ファン近傍と前記ベース上縁間に清浄空気遮断帯を設けたことを特徴とする卓上清浄空気バリア域形成装置。
【請求項２】
前記吹き出しガイドは、円弧状に形成したことを特徴とする請求項１記載の卓上清浄空気バリア域形成装置。
【請求項３】
前記逆円錐台形の頂部の開口直径は、前記円筒本体直径の５０％〜８５％とすることを特徴とする請求項１、２記載の卓上清浄空気バリア域形成装置。
【請求項４】
前記吹き出しガイドの該逆円錐台形底辺外周部へ回動軸を設け、該吹き出しガイドを傾斜させる手段を設けたことを特徴とする請求項１〜３記載の卓上清浄空気バリア域形成装置。
【請求項５】
前記清浄空気遮断帯は、前記円筒本体を上下任意の位置で停止させる手段と該清浄空気遮断帯を任意の幅に調整できる手段を備えたことを特徴とする請求項１〜４記載の卓上清浄空気バリア域形成装置。
【考案の詳細な説明】
【技術分野】
【０００１】
本考案は、非喫煙者が喫煙者から吐き出される汚染空気や紫煙を避けることができ、また医療関係従事者が感染症の恐れがある患者から感染を防止することができる卓上清浄空気バリア域形成装置に関するものである。
【背景技術】
【０００２】
一般的に煙草の有害性について従来から知られていることで、その害を防止する目的で種々の機器が提案されている。また医療関係従事者が、その感染を防止するためにマスク等を着用している。
【０００３】
最近では、喫煙者のみならず、その周囲の人々にも相当、喫煙の影響を及ぼしているとして、喫煙場所が法律で禁止される等、煙草の煙の有害性が指摘されている。煙草の煙に含まれている有害物質として、主にタール等の発ガン物質や一酸化炭素、二酸化窒素等があり、特許文献１では、空気流入口と空気吹出口を形成したケーシングの空気流通路に、送風ファンとこの駆動用電動機を設け、さらに一酸化炭素除去剤および窒素酸化物除去剤の両者またはそのいずれか一方を着脱自在に配設すると共に前記送風ファンによって形成される空気流通路中に灰皿を設けた空気清浄機が提案され、即ち、喫煙者の周囲の第三者に対する煙害を防止し、居住空間全体の空気清浄をするものではなく、喫煙者付近を重点的に浄化するようにしたもので、機器が安価で、効率的、電源として乾電池も使用でき、コンパクトで持ち運びが容易である空気清浄機が提案されている。
【０００４】
また、従来の空気清浄機構造は、灰皿から立上る煙の集塵脱臭を有効に行うことはできるが、その空気清浄機の近傍で喫煙する者から吐き出される主流の煙は、室内気流によって直に上昇してしまい、空気清浄機の吸気口に吸い込まれず、有効に集塵脱臭することができず、対面する喫煙者から煙の動きが規制できないので、送風ファンの吸気側に集塵フィルターが内設され、起立するエアー案内板の作用によって空気清浄機の吐出口から上部へ吐き出させ、空気清浄機を挟んで対面する両者間にエアーカーテンを生じさせ、一方の者によって喫煙される煙が他方の者に影響を及ぼされ難く、排煙効果を高める卓上空気清浄機が、特許文献２で提案されている。
【０００５】
更に、特許文献３では、室内の空気を吸い込むために天井に設けられた複数の吸込口と、下方に向かって空気を吹き出すために天井に設けられた複数の吹出口と、各吹出口から吹出される気流によって空間的に区切られた部分空間内の汚染空気発生場所に設けられ、汚染空気を吸い込むと共に吸い込んだ汚染空気を天井の吸込口に向かって吹き出す気流コントロール装置をテーブル上に配置し、前記特許文献２と同様に該気流コントロール装置でエアーカーテンを形成する室内空気清浄維持システムが提案されている。
【０００６】
前記では、主に煙草等で局部的に汚染された空気を浄化する装置について言及したが、室内環境を向上させる室内装飾品に室内空気の浄化の機能をもたせた空気清浄装置が特許文献４で提案されている。すなわち、内部に送風装置と空気清浄装置を装備し、上面には人工植物等の固定部を有した固定構造部と、人工植物等の装飾物などより成る空気清浄装置において、固定構造部の上面部は平面状に、また通気性を有しない上板で形成し、該固定構造部の下に凹状の水盆を組み合わせ、該水盆の内面を送風装置による空気の流れを作った構成とし、該空気流れが、盆の水を蒸発せしめ室内空気の加湿を行い、フィルターを通過し、前記固定構造部の上面部下部側面から排気される構造が提案されている。
【０００７】
しかしながら、従来の前記する空気清浄機は、フィルター等を備え汚染された空気を局部的に浄化し、また、対面する人との間に明確に区分するエアーカーテン生成装置を設けたり、部屋全体の空調システムと机上に設置する装置と組み合わせて、空気清浄システムを構成したり、部屋全体の空気を浄化する装置であったため、喫煙者と非喫煙者が同席した場合、どちらかが不便な思いをしたり、心理的な障害物となり円滑なコミュニケーションを阻害したり、部屋全体を対象にしているため装置が複雑で、設備費用が高価になるなど種々の問題点があった。
【０００８】
【特許文献１】特開昭５５−７０３２１号公報
【特許文献２】特開平８−１９６８４０号公報
【特許文献３】特開平７−２３３９８２号公報
【特許文献４】実開平５−７６５１６号公報
【考案の開示】
【考案が解決しようとする課題】
【０００９】
かかる従来技術に鑑み、本考案では、装置の構造が簡単で安価に製作でき、手軽に移動でき操作性が簡単で、対面する人との間で心理的、物理的に障害にならない卓上清浄空気バリア域形成装置を提供することを課題とする。
【課題を解決するための手段】
【００１０】
本考案の考案者は、上記課題を解決すべく鋭意検討を重ねた結果、汚染された空気を積極的に浄化するのではなく、主体者が、汚染された空気に影響されないように主体者近傍に装置を設置し、小さな半球体の空気バリアを作り、空気の流れを遮断制御することができることを見出し、本考案を完成するに至った。
【００１１】
即ち、請求項１の考案は、金網等で形成された円筒本体と該円筒本体上部を金網等で形成された蓋で覆い、該円筒本体下部を樹脂成形等で形成されたベースへ嵌合固着し、該ベース下部背面へ電池を収納し、側面へ電源入り切りスイッチを設け、該ベース上部に送風用ファンを取り付ける小型モータを設け、さらに該送風ファン上部に逆円錐形の頂部を開口とした吹き出しガイドを前記円筒本体内部へ設け、該円筒本体外周部へ該送風用ファン近傍と前記ベース上縁間に清浄空気遮断帯を設けたことを特徴とする卓上清浄空気バリア域形成装置を提供する。
【００１２】
請求項２の考案は、請求項１記載の卓上清浄空気バリア域形成装置であって、前記吹き出しガイドは、円弧状を形成したしたことを特徴とするものである。
【００１３】
請求項３の考案は、請求項１又は２記載の卓上清浄空気バリア域形成装置であって、前記逆円錐台形の頂部の開口直径は、前記円筒本体直径の５０％〜８５％とすることを特徴とするものである。
【００１４】
請求項４の考案は、請求項１〜３記載の卓上清浄空気バリア域形成装置であって、前記吹き出しガイドの該逆円錐台形底辺外周部へ回動軸を設け、該吹き出しガイドを傾斜させる手段を設けたことを特徴とするものである。
【００１５】
請求項５の考案は、請求項１〜４記載の卓上清浄空気バリア域形成装置であって、前記清浄空気遮断帯は、前記円筒本体を上下任意の位置で停止させる手段と該清浄空気遮断帯を任意の幅に調整できる手段を備えたことを特徴とするものである。
【考案の効果】
【００１６】
本考案の卓上清浄空気バリア域形成装置は、窒素酸化物除去剤や一酸化炭素除去剤を取り除く高性能フィルター等を使用しないので、簡単な構造で安価に提供でき、手軽に容易に持ち運び移動でき、また、前記吹き出しガイドを円弧状に形成したので、空気の流れがその吹き出しガイドに沿って流れるというコアンダ効果を得ることができ、空気流れの乱れを発生させることが無く、スムーズな気流を作ることができ、風切音を発生させないで静粛な運転をすることができ、さらに、前記逆円錐台形の頂部の開口直径は、前記円筒本体直径の５０％〜８５％とすることにより、側面や斜め上部および上方向へバランス良く吐出する気流を得ることができ、さらにまた、前記吹き出しガイドの該逆円錐台形底辺外周部へ回動軸を設け、該吹き出しガイドを傾斜させる手段を設けたので、装置本体を移動せず空気バリア域を調整変更できるので、対面する人へ心理的に影響を与えず、使用者側も相手を気にせずに使用でき、また、前記清浄空気遮断帯は、前記円筒本体を上下任意の位置で停止させる手段と該清浄空気遮断帯を任意の幅に調整できる手段を備えているので、送風量を調整し、空気バリア域の大きさを調整することができ、空気を吸い込む位置を限定することができるので、汚染した空気で空気バリア域を作ることが無い等々の種々の優れた効果を奏する。
【考案を実施するための最良の形態】
【００１７】
以下、本考案を実施するための最良の形態について、図面を参照しながら詳細に説明する。
【００１８】
図１は、卓上清浄空気バリア域形成装置１を机上に設置し、対面する喫煙者と離れた非喫煙者側近傍に設置した使用状況を示している。
【００１９】
図２は、卓上清浄空気バリア域形成装置１の断面図を示し、１０は、SUS材等より成る金網等で形成した円筒本体で、通気が容易である。該円筒本体１０の下部は、樹脂成形等で形成したベース２０へ嵌合固着している。該ベース２０の上部に二重のリブで形成した溝２１へ該円筒本体１０下部を挿入し、接着剤等で固定している。１１は凸状の蓋で、円筒本体１０上部の外形と同じサイズの外形で形成され、該円筒本体１０と同じ金網等で形成され、嵌合装着されている。２２は、ベース２０底部背面に一体に設けた乾電池収納ケースで、乾電池３０を公知の手段で収納し、乾電池蓋４０で蓋がされている。該乾電池蓋４０は、乾電池収納ケース２２と公知の手段で嵌合着脱とされている。２３は、ベース２０に設けた通線口で、小型モータ５０に通電する電源ケーブルの孔が形成されている。６０は、該小型モータ５０へ電源を制御するスイッチで、電源ケーブル６１を介して乾電池３０から小型モータ５０への電源を入り切りする。該スイッチ６０は、ベース２０側面下部スカート部２４へ公知の手段で固定されている。２５は、小型モータ５０を固定するボスで、ベース２０に一体に形成されたタッピングネジ用のボスで、複数設けられている。７０は、複数の羽根で構成された送風ファンで、小型モータ５０の軸５１に送風ファン７０のファンボス７１を介して固定されている。８０は、前記円筒本体１０外周下部に設けた清浄空気遮断帯で、該清浄空気遮断帯８０下端８１と前記ベース２０上縁２６の間は、該清浄空気遮断帯８０内側に設けたディンプル８２で円筒本体１０外周と嵌合固定され、空気が通過する寸法Hが確保されている。前記送風ファン７０の上部に配設し、円筒本体１０内部に配設した吹き出しガイド９０は、樹脂成形等で形成され逆円錐形状の頂部が無い逆円錐台形状とし、該吹き出しガイド９０を円弧状部９１となし、該逆円錐台形状頂部直径Dを前記円筒本体１０直径の５０％〜８５％とし、該吹き出しガイド９０逆円錐台形状底辺部外周部に該円筒本体１０に固定する軸９２が設けられている。
【００２０】
上記構成で、図１で示す位置に卓上清浄空気バリア域形成装置１を机上に設置し、スイッチ６０をオン操作し小型モータ５０へ通電すると、送風ファン７０が回動し、清浄空気が通過する寸法Hから矢印方向へ吸い込まれ、矢印水平方向A、斜め上方向B1、B2、C、上部方向Vへと吐き出され、ほぼ半円球状に吹き出される。ここで、前記吹き出しガイド９０逆円錐台形状頂部直径外周部９２は、鋭角状に形成されているので清浄空気の乱れを起こすことなく、スムーズに斜め方向B1とB2に分割して吹き出させる。特に清浄空気B2の流れは、コアンダ効果により吹き出しガイド９０の円弧状部９１に沿って流れる。また、前記逆円錐台形状頂部直径Dを前記円筒本体１０直径の５０％〜８５％とすると、実験的に横方向、斜め上、上方向へ万遍なく清浄空気をほぼ均等に吹き出すことができた。
【００２１】
図３は、前記図２と前記吹き出しガイド９０がθ度傾けられた点が異なる卓上清浄空気バリア域形成装置１の断面図を示している。θは、５〜１０度で傾けることができるように、前記送風ファン７０と離して該吹き出しガイド９０が取り付けられている。図４は、前記吹き出しガイド９０の要部斜視図で、逆円錐台形状底辺部外周部に該円筒本体１０を貫通する回動軸９３が、前記吹き出しガイド９０に樹脂成形等で一体に形成されている。１００はレバーで、上部に該回動軸９３へ嵌合装着する嵌合突起１０１が一体に樹脂成形等で形成され、下部にディンプル１０２が一体に樹脂成形等で形成され、該嵌合突起１０１と該ディンプル１０２間のレバー１００は、図５で示す矢印方向に容易に変形する弾力性を有する材料と厚さで形成されており、図４で示す一点鎖線矢印方向へ移動させ、前記吹き出しガイド９０へ嵌合固定される。
【００２２】
図５は、前記レバー１００の作用を示す平断面図で、該レバー１００を該図６矢印方向に動作させると、前述したレバー１００の弾力性により、ディンプル１０２が、前記１０円筒本体の外周の任意の位置で係止し、前記吹き出しガイド９０が図３で示す任意の角度θで停止する。
【００２３】
図２で示す前記吹き出しガイド９０は水平に設定にしているので、清浄空気の流れA、B1、B2、Cは、左右対称となるが、図３に示すように該吹き出しガイド９０をθの角度に傾けると、図３で示す矢印A、B1、B2、C方向の清浄空気の流れが右方向の清浄空気の流れが多くなり、装置本体を移動までせず、一寸手を伸ばして空気バリア域を微調整変更することができるので、対面する人に対して心理的な影響を与えないという効果がある。
【００２４】
図７は、前記清浄空気遮断帯８０を前記卓上清浄空気バリア域形成装置１の前記円筒本体１０から取り外した状態を示す要部外観図で、樹脂成形より形成され外環８２と内環８５で構成され、該外環８２と内環８５は、図８に示す如くスライドさせ任意の位置で係止させ該清浄空気遮断帯８０の幅Wを可変することができるディンプル８３が形成されている。図９で示す８７は、該ディンプル８３を係止させるローレットで、該内環８５の外側縦方向に設けられ、該ローレット８７の両サイドには、該ローレット８７が弾力変形するスリット８８が設けられている。図７、１０に示すディンプル８６は、前記内環８５内側に設けられ、前記円筒本体１０外周部と係止し、該ディンプル８６両サイドにスリット８９を設け弾力変形を容易としている。また、該ディンプル８６を設けている内環８５の肉厚を図１０に示す如く、薄く形成し弾力変形を容易にしている。前記清浄空気遮断帯８０の下端８１は、外環８２が抜け落ちないようストッパーとなる該外環８２と同じ直径に形成されている。  
【００２５】
上記構成で、図１で示す位置に卓上清浄空気バリア域形成装置１を机上に設置したとき、十分な清浄空気バリア域を形成される場合、清浄空気の吸い込み量を減ずるため、前記清浄空気遮断帯８０の幅Wを大きくして調整し、汚染空気が該卓上清浄空気バリア域形成装置
近傍へ達し、より机上下層の清浄空気を取り込むよう該清浄空気遮断帯８０を下側へ容易に移動することができる。
【００２６】
図１１は、ブロー成形等で形成された簡易ダクト１１０で、清浄空気を取り込む前記清浄空気遮断帯８０下部に着脱容易に嵌合装着できる開口１１１を備え、下部は密閉構造、所定寸法を有するダクト１１２が一体に形成されている。該ダクト１１２は、言及した一体成形でなく、別にフレキシブルダクトとしても良い。
【００２７】
前記簡易ダクト１１０を前記卓上清浄空気バリア域形成装置１の下部にアダプターとして装着すると、強く吹きつけられる汚染空気に対してその影響を避けることができる部位から新鮮空気を取り込むことができるという効果がある。
【００２８】
前記は、主に煙草により汚染される空気について言及したが、患者と医者などが同席する場合などに用いることができ、近未来に起こる新型インフルエンザから医者を守り、簡易的で携帯が容易な危機管理用品で種々の効果を有する。
【図面の簡単な説明】
【００２９】
【図１】本考案の卓上清浄空気バリア域形成装置使用状況を示すスケッチ図
【図２】卓上清浄空気バリア域形成装置の断面図
【図３】卓上清浄空気バリア域形成装置の断面図
【図４】要部斜視図
【図５】要部側面図
【図６】要部平面図
【図７】要部斜視図
【図８】要部断面図
【図９】要部斜視図
【図１０】要部断面図
【図１１】本考案付属部品の斜視図
【符号の説明】
【００３０】
１  卓上清浄空気バリア域形成装置
１０  円筒本体
１１  蓋
２０  ベース
２１  溝
２２  乾電池収納ケース
２３  通線口
２４  スカート部
２５  ボス
２６  上縁
３０  乾電池
４０  乾電池蓋
５０  小型モータ
５１  軸
６０  スイッチ
６１  電源ケーブル
７０  送風ファン
７１  ファンボス
８０  清浄空気遮断帯
８１  下端
８２  外環
８３  ディンプル
８５  内環
８６  ディンプル
８７  ローレット
８８  スリット
８９  スリット
９０  吹き出しガイド
９１  円弧状部
９２  逆円錐台形状頂部直径外周部
９３  回動軸
１００  レバー
１０１  嵌合突起
１０２  ディンプル
１１０  簡易ダクト
１１１  開口
１１２  ダクト
【図１】
0003142747.tif 000003
【図２】
0003142747.tif 000004
【図３】
0003142747.tif 000005
【図４】
0003142747.tif 000006
【図５】
0003142747.tif 000007
【図６】
0003142747.tif 000008
【図７】
0003142747.tif 000009
【図８】
0003142747.tif 000010
【図９】
0003142747.tif 000011
【図１０】
0003142747.tif 000012
【図１１】
0003142747.tif 000013